(57)【要約】　【課題】省電力や誤操作の防止を推進できる電子カメラを提供する。　【解決手段】２つの表示手段を用意し、その一方の表示手段には画像データや送出先の選択や設定に関する情報を表示する一方、他の表示手段には送出モードが選択されている旨を識別可能な表示を行えるようにした。【選択図】　　図１
2004072787.tif 000002
【特許請求の範囲】
【請求項１】
　被写体像を撮像する撮像手段と、
　前記撮像手段で撮像された被写体像を信号処理する信号処理手段と、
　前記信号処理手段で処理された画像データを記憶できる画像データ記憶手段と、
　画像データを再生して表示させるための画像再生手段と、
　前記画像データを送出するためのインターフェース手段と、
　前記撮像手段で撮像された画像データまたは前記画像再生手段で再生された画像データを表示すると共に前記インターフェース手段を介して画像データを送出する送出先の選択または設定に関する情報を表示可能な第１の表示手段と、
　画像データの記憶、再生、送出を行うための各モードを切り替えて設定するためのモード切替手段と、
　前記モード切替え手段によって画像データの送出を行うためのモードが選択されている際にはその旨を識別可能な表示を行う第２の表示手段と、
を有することを特徴とする電子カメラ。
【請求項２】
　前記モード切替手段によって画像データの記憶または再生モードが設定されている場合には画像データの記憶制御または再生制御を行う一方、前記モード切替手段によって画像データの送出モードが設定されている場合には画像の送出先設定制御を行うスイッチを有することを特徴とする請求項１に記載の電子カメラ。
【請求項３】
　前記第１の表示手段に表示可能なすべての表示内容のうち、特定の内容は前記第２の表示手段に同時に表示可能なことを特徴とする請求項１または２に記載の電子カメラ。
【発明の詳細な説明】
【技術分野】
【０００１】
　本発明は画像伝送機能を有する電子カメラに関する。
【背景技術】
【０００２】
　電子スチルカメラ等の静止画像記録再生装置のような画像処理装置の一つである電子的撮像装置においては、画像情報を何らかの媒体を介して、例えば電話回線を介して他方の電子的撮像装置に伝送する機能を有するものが実用化されている。
【０００３】
　電話回線を介しての画像伝送に際しては、送信先の電話番号をダイヤルする必要があるが、ユーザが伝送の度に電話番号をダイヤルする手間を省くための装置が、特開平２ー２５１４３号や特開平３ー１５７０８３号に開示されている。ここでは、予め伝送先である相手先電話番号が画像情報が記録されている磁気ディスクに記録されている。
【発明の開示】
【発明が解決しようとする課題】
【０００４】
　電子カメラは携帯型として使用されるのが通例である。携帯型とするためにはバッテリーを電源とする必要があり、その長寿命化は大きな課題である。また、電子カメラの小型化も常に重要な課題である。
【０００５】
　そこで、本発明の目的は、省電力や誤操作の防止を推進できる電子カメラを提供することにある。
【課題を解決するための手段】
【０００６】
　前述の課題を解決するため、本発明による電子カメラは、
　被写体像を撮像する撮像手段と、
　前記撮像手段で撮像された被写体像を信号処理する信号処理手段と、
　前記信号処理手段で処理された画像データを記憶できる画像データ記憶手段と、
　画像データを再生して表示させるための画像再生手段と、
　前記画像データを送出するためのインターフェース手段と、
　前記撮像手段で撮像された画像データまたは前記画像再生手段で再生された画像データを表示すると共に前記インターフェース手段を介して画像データを送出する送出先の選択または設定に関する情報を表示可能な第１の表示手段と、
　画像データの記憶、再生、送出を行うための各モードを切り替えて設定するためのモード切替手段と、
　前記モード切替え手段によって画像データの送出を行うためのモードが選択されている際にはその旨を識別可能な表示を行う第２の表示手段と、
を備えて構成される。
【０００７】
　ここで、前記モード切替手段によって画像データの記憶または再生モードが設定されている場合には画像データの記憶制御または再生制御を行う一方、前記モード切替手段によって画像データの送出モードが設定されている場合には画像の送出先設定制御を行うスイッチを有し、また、前記第１の表示手段に表示可能なすべての表示内容のうち、特定の内容は前記第２の表示手段に同時に表示可能とすることができる。
【０００８】
　本発明では、２つの表示手段を用意し、その一方の表示手段には画像データや送出先の選択や設定に関する情報を表示する一方、他の表示手段には送出モードが選択されている旨を識別可能な表示を行えるようにしている。そのため、画像データを送出動作中にはすでに内容を確認済みでユーザがあらためて視認する必要のない画像データを表示している第１の表示手段を消して第２の表示手段の表示のみとすることが出来、省電力を推進できる。また、第１の表示手段に画像データが表示されている状態では記憶、再生モードか送出モードかの視認識別が瞬時に判別しにくいような状態でもユーザは第２の表示手段によって送出モードである旨をひと目で識別でき、スイッチの誤操作を防止することができる。この構成は、モード切替えに対応してスイッチの機能をも切替えられるようにすることによってカメラのスイッチ数を削減して携帯性を向上できるようにした構成に特に有効である。
【発明の効果】
【０００９】
　本発明による電子カメラでは、省電力や誤操作の防止を推進できる。
【実施例１】
【００１０】
　図１は、本発明による画像処理装置の中の電子的撮像装置の一実施例を示す構成ブロック図である。
【００１１】
　図１において、レンズ１を介してＣＣＤ２上に結像された被写体像は、電気信号に変換され、撮像プロセス回路３で、所定の処理が施されて映像信号が得られる。この映像信号は、Ａ／Ｄコンバータ４でデジタル信号に変換されてフレームメモリ５に記録されるとともに、再生プロセス回路６で再生処理された後、Ｄ／Ａコンバータ７でアナログ信号に変換されて電子ビューファインダ８とビデオ出力端子に供給される。フレームメモリ５から読み出された映像データは、圧縮伸長ユニット９で圧縮処理され、カードインタフェース（Ｉ／Ｆ）回路１０を介してメモリカード１１に記録される。
【００１２】
　再生時には、カードＩ／Ｆ回路１０を介してメモリカード１１から読み出された映像データは、圧縮伸長ユニット９で伸長されてフレームメモリ５に記録される。フレームメモリ５から読み出された映像データは、前述と同様に、再生プロセス回路６、Ｄ／Ａコンバータ７を介して電子ビューファインダー８とビデオ出力端子に送出される。
【００１３】
　フレームメモリ５は、システム制御回路（ＣＰＵ）１２から出力される制御信号に基づいて動作するメモリコントローラ１３により制御される。システム制御回路１２は、スイッチ回路１４からの各種操作信号を受けて、圧縮伸長ユニット９、カードＩ／Ｆ回路１０、メモリコントローラ１３等を制御する。
【００１４】
　スイッチ回路１４は、当該カメラの動作を指示する次のような各種スイッチの操作状態を受け、システム制御回路１２に送出する。各種スイッチとしては、露出やフォーカスロックや記録等を指示するためのトリガスイッチ１４Ａ、再生時像を選択するためのマイナス送りスイッチ１４Ｂとプラス送りスイッチ１４Ｃ、記録／再生動作を指示する記録／再生スイッチ１４Ｄ、モードを設定するモードスイッチ１４Ｅ、セットスイッチ１４Ｆ等がある。ＬＣＤ１５は、システム制御回路１２からの制御を受け、カメラの動作状態や各種情報を表示する。シリアルインタフェース（Ｉ／Ｆ）１６は、電話回線を介して送り先装置との間でデータを授受する。
【００１５】
　時計制御回路１７は、ＣＰＵ１２の制御を受けて時間データを制御するもので、時間データは、バックアップ電源Ｅが供給された時間データメモリ１８に格納されている。時間データメモリ１８としてＥ2ＰＲＯＭが用いられているときには、バックアップ電源Ｅは不要である。時間データメモリ１８には、後述するように入力された電話番号データも記憶される。
【００１６】
　上記構成の電子的撮像装置の動作モードは、画像記録／再生を行う通常モードと、画像情報を伝送する伝送モードと、画像伝送先である電話番号設定モードとがあり、各モードは、モードスイッチ１４Ｅの操作毎に、図２に示すように遷移する。
【００１７】
　通常モードでのＥＶＦ８とＬＣＤ１５の表示例が図３に示されている。
　同図（Ａ）は、通常モード時の表示例で、ＥＶＦまたはモニタ画面の下部には年月日と時刻が表示され、ＬＣＤ１５画面の右上部には記録または再生画像番号（ＮＯ．）“１５”が、右下部には記録可能な残り枚数“０５”が表示されている。ここで、セットスイッチ（ＳＥＴ　ＳＷ）１４Ｆを、例えば５秒間以上継続的に操作すると、表示は同図（Ｂ）のように変わり、ＥＶＦ画面の下左端２桁の数字“１９”が点滅表示され、この数字はＬＣＤ１５の右下部にも点滅表示される。マイナス送りスイッチ１４Ｂとプラス送りスイッチ１４Ｃを操作すると点滅表示されている数字が変化して、同図（Ｃ）のように点滅表示が“１８”に変更される。次に、セットスイッチ１４Ｆを押下すると、同図（Ｃ）の“１８”が確定された後、（Ｄ）に示すように、点滅表示される桁は、２桁右側に移動し、“９２”が点滅表示される。続いてセットスイッチ１４Ｆを５秒間以上継続的に押下すると、設定動作が終了し、確定した設定年月日が同図（Ｅ）に示すように表示される。
【００１８】
　図４は、伝送モードでのＥＶＦ８とＬＣＤ１５の表示例を示し、伝送モードでは、同図（Ａ）に示すように、ＥＶＦ（またはモニタ）８の下部には、伝送先の電話番号が、例えば“ＴＥＬ１　０４２６９１ｘｘｘｘ”と表示される。“ＴＥＬ”の後に続く“１”は優先順位番号を示す。また、ＬＣＤ１５の左下部には、伝送モードであることを示すマーク（電話機のマーク）が、右上部と右下部には、図３と同様な画像番号と残り枚数が表示されている。セットスイッチ１４Ｆを操作することにより、同図（Ｂ）に示すように次の優先順位（２番目の優先順位）の電話番号がＥＶＦ８上に表示される。こうして、セットスイッチ１４Ｆの操作により伝送先の電話番号が次々に表示される。
【００１９】
　図５には、電話番号設定モードでの表示例が示されている。
　電話番号設定モードになると、同図（Ａ）に示すように、ＥＶＦ８に表示されている電話番号表示部の優先順位を示す数字“１”が点滅表示されるとともに、ＬＣＤ１５上の右下部にも同様な点滅表示が行われる。この点滅表示部が、現在変更設定されるべき数字となる。変更設定は、マイナス送りスイッチ１４Ｂやプラス送りスイッチ１４Ｃの操作により行われる。こうして変更された数字は、セットスイッチ１４Ｆの操作により確定され、同図（Ｂ）に示すように、次に変更設定されるべき数字部“０４”に点滅表示が移動する。ここで、マイナス送りスイッチ１４Ｂとプラス送りスイッチ１４Ｃを操作して、“０３”に変更したときの画面が同図（Ｃ）に示されている。このままで確定するときには、セットスイッチ１４Ｆを操作すれば良い。
【００２０】
　このようなセットスイッチ１４Ｆの操作により、優先順位１番目の電話番号が設定された後、優先順位２番目の電話番号の設定画面が同図（Ｄ）に示されている。同図（Ｅ）には、優先順位３番目の電話番号設定画面が示されている。ここでは、電話番号は、まだ記録されておらず、画面には表示されていない。
【００２１】
　図６には、本実施例における画像伝送手順のフローチャートが示されている。　処理がスタートし、モードスイッチ１４Ｅを操作して、伝送モードが選択され（ステップＳ１）、セットスイッチ１４Ｆにより電話番号が選択される（ステップＳ２）。ここで、マイナス送りスイッチ１４Ｂとプラス送りスイッチ１４Ｃにより伝送する画像が選択された（ステップＳ３）後、トリガスイッチ１４Ａにより伝送処理がスタートする（ステップＳ４）。
【００２２】
　図７には、上記電話番号のセーブ処理とロード処理のフローチャートが示されている。
【００２３】
　処理スタート後、モードスイッチ１４Ｅにより電話番号設定モードに設定し（ステップＳ１１）、記録、再生スイッチ１４Ｄが記録モードか否かを判定する（ステップＳ１２）。ここで、記録モードであると判定されたときには、トリガスイッチ１４Ａにより装置内電話番号領域のデータリストがモニタに表示され（ステップＳ１３）、マイナス送りスイッチ１４Ｂやプラス送りスイッチ１４Ｃにより必要なデータを選択する（ステップＳ１４）。次に、セットスイッチ１４Ｆにより当該データが装置からメモリカードにセーブされた（ステップＳ１５）後、モードが変更されたか否かが判定され（ステップＳ１６）、モードが変更されていなければステップＳ１４の処理に戻り、モードが変更されていれば処理を終了する。
【００２４】
　一方、ステップＳ１２において、再生モードであるときには、トリガスイッチ１４Ａによりコントロールファイル内のリストがモニタ上に表示される（ステップＳ１７）。このときの表示例が図８に示されている。次に、マイナス送りスイッチ１４Ｂやプラス送りスイッチ１４Ｃにより必要な電話番号を選択した（ステップＳ１８）後、セットスイッチ１４Ｆによりメモリカードから本体装置のデータメモリ領域にロードする（ステップＳ１９）。このとき、ロードされたものは、モニタ上の表示から削除することもできるし、二重選択を防止するため、同一電話番号が選択されたときには、何らかの警告を表示することもできる。このようなステップＳ１８とＳ１９の処理が、ステップＳ２０において、モード変更があると判定されるまで繰り返される。
【００２５】
　上述実施例においては、電子的撮像装置の伝送される画像情報は、静止画像情報、音声情報の他、任意の情報を用いることができ、また、外部から当該入力手段を介して入力された画像信号を画像信号処理部により処理した後に記録された画像であっても良いことは勿論、他の電子的撮像装置により撮像され、本電子的撮像装置に適合する媒体に格納された形で提供されるものであっても良い。
【００２６】
　以上、実施例において、バックアップメモリ領域を増やせば、より多くの電話番号が記憶でき、また複数の電話番号から任意の番号が簡単に選択でき、また電話番号の設定はより少ないキー操作で行え、その操作手順は時間設定とほぼ等しくユーザにも使い易いものになる。とりわけ、上記実施例の如く、携帯型である電子的撮像装置に本発明を適用すれば、その携帯性、操作性等が発揮でき、小型化に寄与し得るものである。
【００２７】
　更に、上記実施例とは別に電話番号設定モード時に、記録／再生スイッチが、記録側になっていて、トリガスイッチが押されると、電話番号記憶領域の内容が一度に記録媒体（例えば、メモリカード）にコントロールファイルとして記録され、また記録／再生スイッチが、再生側だと、コントロールファイル内容が、一度に電話番号記憶領域へロードされるという機能も可能である。
【図面の簡単な説明】
【００２８】
【図１】本発明による電子カメラの中の電子的撮像装置の一実施例の構成を示すブロック図である。
【図２】図１の実施例における電子カメラの動作モードを示す図である。
【図３】図１における通常モードでのＥＶＦ８とＬＣＤ１５の表示例を示す図である。
【図４】本発明の本実施例における伝送モードでのＥＶＦ８とＬＣＤ１５の表示例を示す図である。
【図５】本発明の本実施例における電話番号設定モードでの表示例を示す図である。
【図６】本発明の本実施例における画像伝送手順のフローチャートを示す図である。
【図７】本発明の本実施例における電話番号のセーブとロードのフローチャートを示す図である。
【図８】本発明の本実施例の再生モードにおけるコントロールファイル内のリストのモニタ表示例を示す図である。
【符号の説明】
【００２９】
　１　　　　レンズ　　　　　　　　　　　２　　　　ＣＣＤ
　３　　　　撮像プロセス回路　　　　４　　　　Ａ／Ｄコンバータ
　５　　　　フレームメモリ　　　　　　６　　　　再生プロセス回路
　７　　　　Ｄ／Ａコンバータ　　　　　８　　　　電子ビューファインダ
　９　　　　圧縮伸長ユニット
　１０　　　カードインタフェース回路
　１１　　　メモリカード　　　　　　　　１２　　　システム制御回路
　１３　　　メモリコントローラ　　　　１４　　　操作スイッチ部
　１４Ａ　　トリガスイッチ　　　　　　１４Ｂ　　マイナス送りスイッチ
　１４Ｃ　　プラス送りスイッチ　　　１４Ｄ　　記録／再生スイッチ
　１４Ｅ　　モードスイッチ　　　　　　１４Ｆ　　セットスイッチ
　１５　　　ＬＣＤ
　１６　　　シリアル通信インターフェース
　１７　　　時計制御回路
　１８　　　時間データメモリ
【図１】
2004072787.tif 000003
【図２】
2004072787.tif 000004
【図３】
2004072787.tif 000005
【図４】
2004072787.tif 000006
【図５】
2004072787.tif 000007
【図６】
2004072787.tif 000008
【図７】
2004072787.tif 000009
【図８】
2004072787.tif 000010